(57)【要約】　　　（修正有）【課題】従来の衣服には授乳の際、衣服をたくし上げたり、脱衣したり等精神的及び肉体的な負担がかかる。特に人前で上記行為をするのは難しいので、この点が解決すべき第１の課題である。妊娠の時期によりウエストが変動し、着用上ウエストとベルトがマッチングしないため身体に合わない衣服を着用せねばならないか、無理な着用を強いられる場合が多い。常に変動するウエストにマッチした快適な衣服を考案することが第２の課題となる。【解決手段】上記の課題を解決するために衣服の胸部に授乳口を作成し、周囲に気兼ねなく容易に授乳できる授乳口を考案した。更に衣服のベルトにウエストサイズを調節可能なボタンホール付ゴムバンドを考案した。【選択図】　　図１
0003097968.tif 000002
【実用新案登録請求の範囲】
【請求項１】
胸部両サイドに授乳口を付したことを特徴とする女性用衣服
【請求項２】
妊娠期に変動する腰部寸法を調節可能にしたボタンホール付ゴムバンドを有することを特徴とするスカート及びパンツ
【考案の詳細な説明】
【０００１】
【考案の属する技術分野】
妊婦及び出産後の授乳を行う女性の衣服の改善に関する。
【０００２】
【従来の技術】
授乳する際、衣服をたくし上げ、身体の一部を露にする等のわずらわしい動作をしなけれならない衣服が多い。
更に妊娠期間にウエストが変動するのに対し、適切に調整する機能を持ったパンツ及びスカートは見られない。
妊婦及び授乳期の婦人に自然にマッチし、しかも着用に優しい衣服は殆ど見られない。
【０００３】
【考案が解決しようとする課題】
請求項１は従来の通常の衣服では家庭外の場所で授乳する際には羞恥とわずらわしさが先に立ち、授乳する女性に多くの負担を強いているのが実状である。
妊婦、授乳期の婦人の精神的及び肉体的負担を軽減することが本考案の課題である。
【０００４】
請求項２は妊婦のウエストサイズが妊娠の進行と共に変動するので従来の固定式のパンツ及びスカートでは着用に問題があることは明白である。本考案はウエストサイズの変動に対応して身体にマッチした調節機能（第２図参照）を付与することが課題である。
【０００５】
【課題を解決する手段】
請求項１については衣服胸部に授乳口を作成することにより問題を解決した。
授乳口のサイズは（１）乳首が容易に取り出せること（２）乳児が母親の肌にさわることができる様に開口部サイズは上記２点から長さ２４ｃｍ巾２ｃｍに設定した。授乳口はスナップで閉じられる。スナップは径８ｍｍのアルミ製ホックを用いている。スナップの位置は開口部上から８ｃｍｍ及び下から８ｃｍの位置に２個付けている。　　チャックは肌を傷つける恐れがあるので用いない（第１図参照）マジックテープは取扱い上、問題があるので避けた。スナップは肌に優しいことに着目し、採用した。開口部には覆い部があるが、そのデザインは衣服の種類によって異なる。本考案の衣服は以上の如く衣服の乱れもなく、また乳児の顔が授乳口に入るので母親と乳児の肌の接触ができると共に周囲に気兼ねなく授乳できるよう創られたものである。、
【０００６】
衣服としてはマタニテイ、ナイテイ、シャツ、ブラウス、アンダーウエアー一般外衣を対象とする。
【０００７】
請求項２についてはベルトにボタンホールをベルトの中心から２ｃｍ間隔で中心から両サイドにボタンホールを各３個所作成し、ボタンホールの径は１ｃｍとして、径１ｃｍの調節ボタンとの組合わせにより段階的にウエストのサイズを調整できるようにした。調節ボタンの取付け位置は中心から直近の位置に取り付けている（第２図参照）着用感は通常状態と殆ど変らず、通常活動に支障を与えないこと、及び母体に無理なくフィットするように改善したものである。
【０００８】
【考案の実施の形態】
本考案により女性用ナイテイに授乳口（図１）を作成した。その内容は図１のとおり胸部両サイドに授乳口１を取付けた。授乳口１は拡大図に見られるごとく、開口長さは２４ｃｍあり、アルミホック２により開閉できる。径８ｍｍのアルミホックを８ｃｍ間隔で取付けている。２０人が着用し、授乳のテスト結果は良好な評価を得ている。
【０００９】
本考案により女性用ナイテイパンツのウエストベルトにボタンホールを付与したパンツを（図２）作成した。図２のとおりウエスト３の拡大図によればウエストベルトに穴開き板ゴムを付し、巾１８ｃｍの板ゴムには２ｃｍ間隔で調整用の穴が２ｃｍ間隔で中央部より夫々作られている。ホール（穴）の個数は着用者により都度決められる。パンツウエスト中央部に径１ｃｍの調節ボタン４を付けている。２０人のモニタリング結果は良好である。
【００１０】
【考案の効果】
本考案による妊婦服及び授乳用婦人服は該当する女性の着用結果の評価は良好であり、本考案は妊娠、養育の負担を軽減する役割を果たす効果がある。
【図面の簡単な説明】
【図１】妊婦及び授乳用女性衣服の全体図及び授乳口部分の詳細図
【図２】妊婦服パンツ全体図及びウエストサイズ調整ベルト部分の詳細図
【符号の説明】
１は授乳口の詳細
２は授乳口のアルミホック
３はウエスト穴開き板ゴム（調整ゴム）の詳細
４は調節ボタン
５は穴開き板ゴム
【図１】
0003097968.tif 000003
【図２】
0003097968.tif 000004
【手続補正書】
【提出日】平成15年6月5日(2003.6.5)
【手続補正２】
【補正対象書類名】明細書
【補正対象項目名】実用新案登録請求の範囲
【補正方法】変更
【補正の内容】
【実用新案登録請求の範囲】
【請求項１】
上衣の胸部両サイドに授乳口を付し（図１）、スカート及びパンツの下衣には変動する腰部寸法を調節可能にしたボタンホール付ゴムバンド（図２）を有することを特徴とする衣服
【手続補正３】
【補正対象書類名】明細書
【補正対象項目名】０００３
【補正方法】変更
【補正の内容】
【０００３】
【考案が解決しようとする課題】
従来の通常の衣服では家庭外の場所で授乳する際には羞恥とわずらわしさが先にたち、授乳する女性に多くの負担を強いているのが実状である。妊婦、授乳期の婦人の精神的及び肉体的負担を軽減することが本考案の一つの課題である。
【０００４】
更にウエストサイズが変動する従来の固定式のパンツ及びスカートは妊娠期及び授乳期では着用上不都合である場合が多いので、本考案ではウエストサイズの変動に対応してウエストにマッチした調節機能（第２図参照）を付与することが本考案のもう一つの課題である。


【手続補正４】
【補正対象書類名】明細書
【補正対象項目名】０００５
【補正方法】変更
【補正の内容】
【０００５】
【課題を解決する手段】
上衣については胸部左右両サイドに授乳口を作成した。授乳口のサイズは（１）乳首が容易に取り出せる（２）乳児が母親の肌に直に触る事ができる様に長さ２４ｃｍ巾２ｃｍに設定した。授乳口はスナップで開閉する。スナップは径８ｍｍのアルミ製ホックを用いている（第１図参照）チャック及びマジックは問題があるので避けた。スナップは肌に優しい事に着目し、採用した。開口部には覆い部があるが、そのデザインは衣服によって異なる。本考案の上衣は衣服の乱れもなく、また乳児の顔が授乳口に入る大きさなので乳児と母親との肌の接触が可能になると共に周囲に気兼ねなく授乳できるように創られたものである。
【０００６】
上衣としてはマタニテイ、ナイテイ、シャツ、ブラウス、アンダーウエアー、一般外衣を対象とする。
【０００７】
下衣はスカート及びパンツを対象とし、ベルトにボタンホールをベルト中心から２ｃｍ間隔で両サイドに各３個所作成し、ボタンホールの径は１ｃｍとして、径１ｃｍの調節ボタンとの組合わせにより段階的にウエストのサイズを調整できるようにした。調節ボタンは中心から直近の位置に取付けている（第２図参照）着用感は通常の状態と殆ど変わらず、通常の活動に支障を与えず、身体に無理なくフィットするように改善している。